(57)【要約】【課題】河川環境における捉えにくい事象を、多次元的な映像を組合わせて統合的に表現することにより、多くの人々に事象の理解が促せる河川環境の映像展示システムを提供する。【解決手段】この映像展示システム１は、巨視的、局所的、および微視的な視点、かつ同一の時系列で河川を撮影して取得した河川環境の事象に関する複数の映像を、各映像に対応した複数の表示装置６，７Ａ〜７Ｃ，８Ａ〜８Ｃを用いて、互いに関連させて４次元的に表示することを特徴とする。【選択図】      図１
2004302753.tif 000002
【特許請求の範囲】
【請求項１】
巨視的、局所的、および微視的な視点、かつ同一の時系列で河川を撮影して取得した河川環境の事象に関する複数の映像を、各映像に対応した複数の表示装置を用いて、互いに関連させて４次元的に表示することを特徴とした河川環境の映像展示システム。
【請求項２】
表示装置が、少なくとも、巨視的な視点で取得された映像を表示する第１の表示装置と、前記映像に含まれた局所的または微視的な視点で取得された映像を表示する第２の表示装置とを有する請求項１に記載の河川環境の映像展示システム。
【請求項３】
前記第１の表示装置は、表示画面が展示スペースの一面に設置され、この表示画面の近傍に第２の表示装置を設置した請求項１に記載の河川環境の映像展示システム。
【請求項４】
表示装置が、展示スペースの壁面を表示画面とした第３の表示装置を有する請求項１ないし３のいずれかに記載の河川環境の映像展示システム。
【請求項５】
見学者の選択により、前記表示装置に表示されている映像内容に関する詳細情報を表示するＰＤＡを有した請求項１ないし４のいずれかに記載の河川環境の映像展示システム。
【発明の詳細な説明】
【０００１】
【発明の属する技術分野】
この発明は、展示スペースに河川の事象を多元的に表示することにより、実際の河川現場で捉えにくい事象を多面的に体験させることが可能な河川環境の映像展示システムに関するものである。
【０００２】
【従来の技術】
近年、地球環境に対する意識の高まりから、各種の環境保護や保全活動が行なわれている。特に、身近な水環境として河川環境の向上は、河川管理者だけでは不可能であり、多くの人々が一定の目標に向かって行動を起こす必要がある。このため、河川で生起している様々な現象に対して、共通の認識をもつことが重要となる。しかし、河川は、空間的に広がりが大きいので、全体像を把握しにくい。また、水面下の様子などを捉えることは困難である。さらに、常に流動状態で時間的に変動する対象である。このため、河川は、非常に理解しにくい対象であるといえる。この結果、一般の人々の水環境に対する認識は比較的に低いのが現状である。
【０００３】
他方、河川の生態系は、多くの要素が複雑に連関し合っている。これらの連関の結果としての河川の諸現象は、水中を含めたさまざまな空間スケールで生起している。また、この諸現象は、常に破壊と再生とを繰り返し、変動しながら成立している。このように河川の現象は、山地などの他の自然環境とは異なり、このような特徴を有しているので、とても捉えにくい対象であるといえる。
【０００４】
このため、誤解が発生したり、河川に対する共通の認識が得られにくい状況が生まれ、河川を場とした様々な意見の対立が発生していた。また、価値観の違いだけでなく、河川の現象に対する認識の欠落が、このような事態を招いていると思われる。
【０００５】
そこで、例えば、岸辺に隣接させた緩傾斜面に水路を設け、この水路に汲み上げた海水や河川水、湖沼水を流下させて形成し、この水路に浅瀬、岩場、池、滝、澱み、湿地、潮溜まりなどの造成物を適宜付帯させた親水施設が知られている（例えば、特許文献１参照。）。この親水施設によれば、自由にかつ安全に水辺に遊び、実体験できるとされている。
【０００６】
しかしながら、このような親水施設は、当然のことながら岸辺の隣接箇所に固定的に設置されており、施設の現場に人々が赴く必要があり、利便性に欠ける。他方、各個人の行動能力には個人差があるので、各個人で得られる実体験も異なり、河川の現象に対する共通の認識を充分に得ることができない。しかも、個人の行動範囲内の視点しか得られないので、当然、河川の全体を巨視的に捉えることはできない。このため、移設可能な装置として、しかも多数の人々に対して、河川環境をわかりやすく表現して理解を促す手段が必要とされ、このような機能を有した装置が求められている。
【０００７】
他方、これまでの河川に関した展示装置の多くは、河川に特有な事象を明確に表現できていなかった。すなわち、空間的に複数の視点で同時に河川環境を表示していないので、各事象は断片的にバラバラであり、相互の関連性を認識しずらい。特に、潜水をしなければ確認することが難しい水中の様子を組み合わせて活用していない。また、同一の時間軸で映像を記録し、これらの映像を組合わせて同時に再現する手法も検討されていなかった。
【０００８】
これは、映像の記録が、河川学や生態学などの様々な観点を整理して、総合的に把握していなかったこと、また、このような映像を表現する装置を複数の手段の組合わせて表現することを、考慮していないためと考えられる。このため、動的な河川環境を充分に表現する展示手法が実現されていなかった。
【０００９】
【特許文献１】
特開平６−１７３２３３号公報（第２，３頁、図１）
【００１０】
【発明が解決しようとする課題】
そこでこの発明は、前記のような従来のものが有する問題点を解決し、河川環境における捉えにくい事象を、多次元的な映像を組合わせて統合的に表現することにより、多くの人々の理解が促せる河川環境の映像展示システムを提供することを目的とする。
【００１１】
【課題を解決するための手段】
前記目的を達成するために、請求項１に記載の発明は、河川環境の映像展示システムにおいて、巨視的、局所的、および微視的な視点、かつ同一の時系列で河川を撮影して取得した河川環境の事象に関する複数の映像を、各映像に対応した複数の表示装置を用いて、互いに関連させて４次元的に表示することを特徴としている。
【００１２】
請求項２に記載の発明は、請求項１において、表示装置が、少なくとも、巨視的な視点で取得された映像を表示する第１の表示装置と、前記映像に含まれた局所的または微視的な視点で取得された映像を表示する第２の表示装置とを有する。
【００１３】
請求項３に記載の発明は、請求項１または２において、前記第１の表示装置は、表示画面が展示スペースの一面に設置され、この表示画面の近傍に第２の表示装置を設置した。
【００１４】
請求項４に記載の発明は、請求項１ないし３のいずれかにおいて、表示装置が、展示スペースの壁面を表示画面とした第３の表示装置を有する。
【００１５】
請求項５に記載の発明は、請求項１ないし４のいずれかにおいて、ＰＤＡに、見学者の選択により、前記第１または第２の表示装置に表示されている映像内容に関する詳細情報を表示する。
【００１６】
【発明の実施の形態】
この発明の実施形態を図面により説明する。図１は、この実施形態の河川環境の映像展示システムの全体構成を示す概略図である。この実施形態の映像展示システムは、巨視的、局所的、および微視的などの多視的な観点で河川から取得した複数の映像を、各映像に対応した複数の表示装置を用いて、互いに関連させた４次元的（時空間的）に表示することにより、見学者が動的に変動する河川環境を多元的に把握して理解できるようにしている。
【００１７】
すなわち、映像展示システム１は、図１に示すように、映像展示動作を開始させるレバー式の入力装置２と、この入力装置２に接続されたメイン・サーバ・パーソナル・コンピュータ３（以降、メインサーバと称する）と、このメインサーバ３にネットワーク４を介して接続された複数のサブ・サーバ・パーソナル・コンピュータ５Ａ〜５Ｇ（以降、サブサーバと称する）と、各サブサーバ５Ａ〜５Ｇに１対１で接続された３種類の表示装置である壁面の第３の表示装置であるスクリーン・ディスプレイ６、床面の３つの第１の表示装置であるプラズマ・ディスプレイ７Ａ〜７Ｃ（以降、ＰＤＰと称する）、各ＰＤＰ７Ａ〜７Ｃの脇の第２の表示装置である液晶ディスプレイ８Ａ〜８Ｃ（以降、ＬＣＤと称する）と、同ネットワーク４を介してメインサーバ３に接続されたＰＤＡ９Ａ〜９Ｃ用の無線アクセス・ポイント１０Ａ〜１０Ｃとを有し、見学者には、それぞれ携帯情報端末機であるＰＤＡ９Ａ〜９Ｃが予め貸与されている。なお、４Ａは、ハブ（ネットワーク用交換機）である。そして、これらの３種の表示装置（スクリーン・ディスプレイ６，ＬＣＤ８Ａ〜８Ｃ，ＰＤＰ７Ａ〜７Ｃ）は、展示スペースＡを形成する空間の各面に所定に配置されて、同時的に映像やこの映像に関連した情報を見学者に提供している。
【００１８】
入力装置２は、展示スペースＡのスクリーン・ディスプレイ６側の壁面の近傍に設置され、出水レバーとして起倒式のレバー・スイッチを有している。したがって、このレバー・スイッチがオン操作されると、メインサーバ３に起動信号が入力される。
【００１９】
メインサーバ３は、起動信号が入力されると、一連の映像動作を制御するプログラムが実行され、ネットワーク４を介して各サブサーバ５Ａ〜５Ｇによる映像の表示動作を互いに連係させて制御するようにしている。また、このメインサーバ３には、前記の表示動作の結果としての表示映像に関連した詳細情報が格納され、これらの詳細情報を、表示映像に連係させて見学者によって操作されたＰＤＰ７Ａ〜７Ｃに提供するようにしている。すなわち、この詳細情報としては、映像表現だけでは把握しにくい、例えば、各種の数値データや、これらの数値を時間経過に伴い変化した様子が示されたグラフなどが挙げられる。さらに、メインサーバ３は、ＨＴＴＰサーバ・サービスなどのＷＥＢサーバ機能を有しており、、メインサーバ３がネットワーク４を介して外部から所定の要求指令を受け取った場合に、この要求指令に応じた特定の詳細情報を、要求指令の発信元に提供できるようにしている。
【００２０】
各サブサーバ５Ａ〜５Ｇには、それぞれが接続された表示装置（スクリーン・ディスプレイ６，ＬＣＤ８Ａ〜８Ｃ，ＰＤＰ７Ａ〜７Ｃ）に表示するための映像の記録が、各サブサーバ５Ａ〜５Ｇに保存されている。すなわち、これらの映像の記録が、デジタル・データとしてＭＰＥＧ２規格の動画データ形式で各サブサーバ５Ａ〜５Ｇ内の記憶装置に記憶されている。したがって、各サブサーバ５Ａ〜５Ｇは、動画データを再生して、表示信号としてそれぞれが接続された前記の各表示装置に送出する。このため、このように河川映像の記録が、デジタル・データとして記録されコンピュータで管理されているので、複数の映像を同期させて再生したり、これらの複数の映像の表示速度を同期させたまま、自由に変更したりすることができる。
【００２１】
スクリーン・ディスプレイ６は、プロジェクター６Ａを用いて、展示スペースＡの壁面に設けたスクリーン６Ｂに映像を表示するようにしている。すなわち、展示スペースＡに隣接し展示スペースＡのスクリーン６Ｂからみて背面側となるバックヤードＢには、映像の投射方向をスクリーン６Ｂに向けたプロジェクター６Ａが設置されている。このプロジェクター６Ａは、サブサーバ５Ａにネットワーク４を介して接続され、このサブサーバ５Ａから映像データが供給される。したがって、プロジェクター６Ａが映像を投影することにより、図２に示すように、スクリーン・サイズに拡大された映像が展示スペースＡの壁面のスクリーン６Ｂに表示される。したがって、このようにスクリーン６Ｂに表示された映像は、表示サイズが大きいので、映像の細部を見学者が充分に確認できるとともに、見学者が展示スペースＡ内のいずれの場所にいても、表示内容を確認できる。
【００２２】
再び図１に示すように、ＰＤＰ７Ａ〜７Ｃは、横長の表示画面を有し、この画面サイズが６１インチ・サイズとされ、この表示面を水平にして床面に埋設されて設けられている。また、これらのＰＤＰ７Ａ〜７Ｃは、スクリーン・ディスプレイ６が設けられた壁面に正対して、展示スペースＡの略中央線上に直列に、表示面が横長となるように並べて設置されている。すなわち、図３に示すように、各ＰＤＰ７Ａ〜７Ｃの表示画面７ａ〜７ｃには、それぞれ図中の右側のスクリーン６Ｂ側から左側に向かって順次、「蛇行部（曲がったところ）」、「氾濫原（水がつかるところ）」、「ワンド（くぼんだところ）」の空間の映像が表示され、しかも、これらの各河川流域の映像は、各ＰＤＰ７Ａ〜７Ｃの横長画面に沿って、それぞれの上流から下流に向かう流れ方向を同一に揃えて表示されている。したがって、河川の上流から下流へと向かう河川の流れを直感的かつ自然に見学者がイメージでき、各ＰＤＰ７Ａ〜７Ｃに表示された映像を見学者が容易に把握することができる。
【００２３】
再び図１に示すように、これらの各ＰＤＰ７Ａ〜７Ｃの近傍には、見学者の入力で選択操作が可能なタッチパネル式のＬＣＤ８Ａ〜８Ｃが、それぞれの表示画面をＬＣＤ８Ａ〜８Ｃから反対方向に向けて設置されている。したがって、見学者は、床面のＰＤＰ７Ａ〜７Ｃに表示された空間の全体状況を示す映像を確認しながら、ＬＣＤ８Ａ〜８Ｃに表示された空間の局部的な映像を視野に収めることができる。このため、これらの両方の映像を相互に関連付けて理解することができる。
【００２４】
無線アクセス・ポイント１０Ａ〜１０Ｃは、ブルートゥース（Ｂｌｕｅｔｏｏｔｈ）などの簡易無線ＬＡＮ用の無線基地局とされ、ＰＤＡ９Ａ〜９Ｃを、無線回線を介して有線で形成された前記のネットワーク４に接続するようにしている。
【００２５】
ＰＤＡ９Ａ〜９Ｃは、Ｐｅｒｓｏｎａｌ  Ｄｉｇｉｔａｌ（Ｄａｔａ）  Ａｓｓｉｓｔａｎｔｓの略称であり、一般に手のひらサイズの携帯性を重視した個人用の情報端末電子機器である。この実施形態のＰＤＡ９Ａ〜９Ｃには、前記の簡易無線ＬＡＮ機能が予め搭載または追加して搭載されている。すなわち、ＰＤＡ９Ａ〜９Ｃは、無線通信によって無線アクセス・ポイント１０Ａ〜１０Ｃに接続され、ネットワーク４を介して情報の授受を可能にしている。また、ＰＤＡ９Ａ〜９Ｃは、ＷＷＷブラウザ機能を有しており、一般的なインターネット用閲覧ソフト（ブラウザ・ソフト）が内蔵されている。したがって、このようなＰＤＡ９Ａ〜９Ｃによれば、閲覧ソフトを用いて、前記の無線ＬＡＮおよびネットワーク４を介して、メインサーバ３から表示映像に関連した詳細情報を転送して表示画面に表示させることができ、しかもこの詳細情報は、静止した固定的なものではなく、メインサーバ３により更新処理されて、河川映像の進展に伴い河川環境の動的な変化に応じて更新されるものとできる。
【００２６】
この映像展示システム１が用いる映像は、河川の流量をコントロールできる独立行政法人土木研究所自然共生研究センターが所有した実験河川で取得した。すなわち、この自然共生研究センターは、平成１０年に建設省（現国土交通省）が開設した研究施設であり、河川及び湖沼の生態系や水質に関する研究、ハビタット（生物生息空間）の保全・復元のための新たな工法の開発や流量管理に関する研究を行っている。この施設の敷地内には、３本の実験河川が整備されている。これらの実験河川には、木曽川の支川である新境川から取水されて充分な流量が供給可能に確保されており、延長が約８００ｍ、川幅が約３ｍの実際の自然環境に近いスケールで形成されている。また、これらのうちの１本は、ほぼ直線の平坦で単調な河川に形成され、他の２本は、蛇行して形成されており、２本には、瀬や淵、ワンドなど様々な生息空間を有した河川とされている。
【００２７】
これらの河川の上流には、水を貯留しておく配水池が設けられ、この配水池と河川との間には、出水ゲート（水門）が設置されている。したがって、この出水ゲートを開放することにより、配水池からの流出量を増大させて、実験河川の流量を大きく変動させた出水実験をできるようにしている。
【００２８】
映像の取得時には、出水実験を実施し（平常流量０．１立方ｍ／ｓ  ⇔  ピーク流量１．５立方ｍ／ｓ）、水辺から眺めているだけでは認織しにくい視点から出水に伴う諸現象を捉えることができるようにした。すなわち、クレーンを使った高所２５ｍからの撮影、水際からの水面の撮影、潜水や固定カメラによる水中の撮影を同時に行なった。また、実験河川が増水してピークになり、増水が減少して元に戻るまでの出水の全過程の様子を記録した。このため、水中の映像には、流される土砂の動き、出水が終わる頃に遡上し始める魚の姿、冠水した場所で草の上に避難する昆虫などが記録されている。したがって、これらの映像記録を組み合わせて、川の水が一旦増えてから元に戻るまでの全過程の様子を、展示スペースＡに設置された映像展示システム１により再現することができる。
【００２９】
なお、この映像展示システム１では、映像が表示される時間の尺度を、実際の時間経過と同じ標準と、これよりも速めた倍速に変更できるようにしている。したがって、変化が緩慢だったり、変化の開始から完了までに長時間を要したりする長時間・長期的な事象についても、時間の尺度を変更することにより、容易に理解させることができる。すなわち、倍速に設定することにより、映像の表示スピードを速めて、変化する全部の過程をわかりやすく示すことができる。
【００３０】
次に、河川環境の映像展示システム１の展示動作を説明する。まず、展示の見学者によって、展示スペースＡに設置されている入力装置２の出水レバーが起動方向に引かれる操作が行われると、展示動作つまり河川の出水が開始される。すなわち、図２に示すように、壁面の大スクリーン６Ｂに写し出された出水ゲートの映像が開放状態の映像に変化する。
【００３１】
そして、映像展示システム１によって、河川の増水時に伴う事象が、巨視的な、または、局部的な複数の映像として同一の時系列で表示され、見学者に提供される。
【００３２】
すなわち、床面の３つのＰＤＰ７Ａ〜７Ｃには、図３に示すように、それぞれ河川の中・下流域に多く見られる特徴的な３つの空間、つまり「蛇行部（曲がったところ）」、「氾濫原（水がつかるところ）」、「ワンド（くぼんだところ）」が写し出されている。そして、各ＰＤＰ７Ａ〜７Ｃには、それぞれ流量の変動（平常時−増水時−ピーク時−減少時−平常時）に対応した実際の映像が表示される。なお、前記の３つの空間は、実験河川に配置されている５つのゾーンのうちの３つであり、新たなＰＤＰを追加して残りのゾーンを写し出すようにしてもよい。
【００３３】
また、各ＰＤＰ７Ａ〜７Ｃの近傍に設置されたタッチパネル式のＬＣＤ８Ａ〜８Ｃの表示画面には、これらの空間の流量変動に連動して、それぞれの各空間における水面、水中の変化、ここに生息している生物の反応や物質の挙動などを記録した映像のいずれかが、見学者による選択を可能にして表示される。すなわち、図４（Ａ）〜（Ｃ）に示すように、表示画面の上段には、複数の選択項目が並列的に配置されており、これらの選択項目のうちから、見学者が表示画面の見たい項目を指先などをタッチすることによって選択して、画面に表示されている映像を切換えられるようにしている。したがって、図４（Ａ），（Ｂ）に示されるように、各空間の水中の状態を示す映像や、図４（Ｂ）に示されるように、各空間の水面の状態を示す映像に、見学者の任意で切換え表示できる。
【００３４】
なお、各画面の左側に表示されている文章は、表示された映像中で生起している事象などを簡単に解説した説明文である。各画面の下側に表示されているメータは、ゲート開放による増水開始からの時間経過に伴い図中の左側から右側に移動する矢印によって、映像に表示された時点が、平常時−増水中−ピーク時−減少中のいずれかの段階であるかを明示するとともに、前記の時点での各空間の水深を示すようにしている。
【００３５】
さらに、簡易無線ＬＡＮであるブルートゥース（Ｂｌｕｅｔｏｏｔｈ）を利用した小型情報端末であるＰＤＡ９Ａ〜９Ｃには、詳細情報である映像と対応した流速や水深、水温のデータ（実測値）を、映像中の時間経過に対応したリアルタイムで確認できるようになっている。見学者が、所持したＰＤＡ９Ａ〜９Ｃを操作入力すると、前記の映像に関する詳細情報をＰＤＡ９Ａ〜９Ｃの画面に表示させることができる。すなわち、見学者が、ＰＤＡ９Ａ〜９Ｃの表示項目を選択する操作することにより、ＰＤＡ９Ａ〜９Ｃから詳細情報の要求指令がメインサーバ３に送信され、この要求指令に応じた詳細情報などを含んだ表示データがメインサーバ３から返信され、所定の階層的に構成された表示画面が切換わって、前記の詳細情報を有した画面が最終的に画面に表示される。
【００３６】
例えば、ＰＤＡ９Ａの表示画面９ａには、予め図５に示されるトップメニューが表示されており、このトップメニューに含まれている「蛇行ゾーン」，「氾濫原ゾーン」，「ワンドゾーン」の項目のうち、見学者が蛇行ゾーンの項目を選択すると、図６（Ａ）に示される蛇行ゾーンのトップメニュー画面が表示され、このトップメニューは、「淵の内側」，「淵の外側」，「早瀬」，「全体」の各項目を有し、これらのいずれかの項目を見学者が選択すると、さらに各項目に対応した図６（Ｂ）〜（Ｅ）に示される画面のいずれかが表示される。これらの図６（Ｂ）〜（Ｅ）の画面には、それぞれの項目の地点または全体における映像中の時点での水深と流速が具体的な数値データとして表示され確認できるとともに、これらの増水開始時点からの水深および流速が変化する様子がグラフ化されて表示される。すなわち、この画面がＰＤＡ９Ａに表示されていると、映像中の時間経過に応じた各時点の画面表示用の更新データが、所定の間隔で定期的にメインサーバ３から、ＰＤＡ９Ａにネットワーク４および無線回線を介して送信されてくる。なお、同様に図５のトップメニューから「氾濫原ゾーン」，「ワンドゾーン」を見学者が選択すれば、これらのゾーンの各部または全体の詳細情報が提供される。すなわち、「氾濫原ゾーン」の「本川」，「冠水部分」，「全体」の詳細情報を、または、「ワンドゾーン」の「本川」，「ワンド部分」，「全体」の詳細情報を、ＰＤＡ９Ａ〜９Ｃに表示できる。
【００３７】
したがって、このようにＰＤＡ９Ａ〜９Ｃによれば、数値による表現以外に、グラフによる表現を併用しているので、増水時の水深および流速の変化を視覚的に把握でき、全体の変化の傾向を容易に理解させることができる。この結果、見学者に、より河川に関する高度な理解を得させることが可能となる。他方、このように詳細情報を提供する表示画面の切換え過程で、各見学者の興味対象以外の情報に触れさせる機会を増大させることができる。したがって、この場合にも、より河川に関する理解を深めさせることが可能となる。なお、この表示された映像に水棲生物が含まれていれば、同様にして、この生物の名称や、簡単な説明などをＰＤＡ９Ａ〜９Ｃに表示させてよい。
【００３８】
他方、各ＰＤＡ９Ａ〜９Ｃには、前記の詳細情報データが格納されてなく、この詳細情報データがメインサーバ３に格納されて蓄積され、見学者の要求時にメインサーバ３から転送して各ＰＤＡ９Ａ〜９Ｃに表示するように構成されているので、ＰＤＡ９Ａ〜９Ｃに対するデータ処理能力の負荷や記憶容量などの要求性能が軽減される。したがって、映像展示システム１用の特注品や専用品ではなく、一般的な市販品のＰＤＡを使用でき、コストダウンを図ることができる。このため、見学者用に多数のＰＤＡ９Ａ〜９Ｃを取り揃えることができる。この結果、多数の見学者に詳細情報を提供でき、河川環境の理解が図れる。
【００３９】
したがって、見学者は、ＰＤＰ７Ａ〜７Ｃで真上から見た河川の全体的な変化を鳥瞰して眺めた後に、それぞれ自分が詳細を見たい場所へと移動し、ＬＣＤ８Ａ〜８Ｃでその楊所の水面の拡大表示や水中の様子、ＰＤＡ９Ａ〜９Ｃで流速や水深を確認できる。特に、通常では見ることができない水中のシーンを積極的に選択して、変化する川底や流れていく物体の挙動を詳細に観察することができる。このため、例えば小学校の高学年者を被験者としてアンケート調査および聞き取り調査により検証したところ、「川の中が良くわかって面白い」、「いろんなところが見やすい」、「近づいて見ても危なくない」という利点が得られた。
【００４０】
以上説明したように、この実施形態の映像展示システム１によれば、このように異なるメディア表現をデジタル技術で複合的に制御し、空間軸を河川の横断、縦断、鉛直方向に拡張し、時間軸に沿ったリアルな映像で再現し、しかも、利用者が見たい場面を選択的に閲覧できるようにしたので、展示動作中に様々に広がっていく見学者の観点や興味に対応することができ、多数の人々に対して、河川環境をわかりやすく表現し、理解を促すことができる。この結果、動的な河川環境を理解させる映像展示システム１として極めて高い実用性を得ることができる。
【００４１】
すなわち、展示スペースＡを形成する空間の壁面に、スクリーン・ディスプレイ６を配置し、このスクリーン・ディスプレイ６のスクリーン６Ｂ表示面に相対させて前記空間の床面に３つのＰＤＰ７Ａ〜７Ｃを直列に並べて配置しているので、これらの各装置が設置された位置関係によって、見学者に河川の流水のイメージを想起させることができ、各表示装置による映像内容同士の関係を直感的かつ自然に把握させることができる。しかも、大きなスクリーン６Ｂに河川の出水ゲートの映像を表示し、河川の中・下流域の特徴的な３つの空間の全体状況を示した映像を、それぞれ各ＰＤＰ７Ａ〜７Ｃに表示しているので、河川環境を巨視的に表現できるとともに、河川流量が変動した場合の河川環境の状態を、わかりやすく表示できる。すなわち、増水の原因である出水ゲートからの放流状態がスクリーン６Ｂに表示され、増水の影響を受けた各空間の状況が各ＰＤＰ７Ａ〜７Ｃに表示されているので、前記と同様に見学者に出水ゲートから増水した流れをイメージさせて、これらの映像内容の相互の関係を把握させることができ、容易に理解させることができる。
【００４２】
さらに、各ＰＤＰ７Ａ〜７Ｃの脇に、それぞれ専用のＬＣＤ８Ａ〜８Ｃを配置しているので、この位置関係によって両者の映像内容の関連性を明示できる。すなわち、これらのＬＣＤ８Ａ〜８Ｃが、各空間の部分的な視点での映像を表示しているので、見学者に巨視的な視点で得た映像と、局所的、または微視的な視点で得た映像との関連性を把握させて、映像内容の容易な理解を図れる。また、普通の日常生活では接することの少ない水中の映像も表示し、しかも平常時から増水時の状況を提供しているので、このような増水時の河川に特有な事象を明確に表現でき、河川に対する高度な理解を人々が得る機会を提供できる。
【００４３】
このように映像展示システム１によれば、予め異なる空間スケールを有した視点で同時的に取得した複数の河川映像を、各映像に応じた複数の表示装置によって表示しているので、河川環境に関する情報を互いの関連性を明確化して提示でき、空間的に広大で常に流動状態で時間的に変動する河川環境を、水面下の様子を含めて容易に理解させることが可能となる。
【００４４】
なお、上述した実施形態の映像展示システム１では、人工的に造成された実験河川を利用して増水時の映像を取得したが、これに限られることなく、実際の自然河川から映像を取得してもよい。他方、例えば、増水時とは逆の渇水時、凍結時の河川環境や、水辺の生態系、微細な空間の理解を重点にして映像を取得してもよい。また、各四季ごとの変化時の河川環境を示した映像を取得してもよい。さらに、日本国内に限らず、諸外国の河川を対象としてもよい。他方、映像を取得する河川の流域も、河川の源流付近の流域や、河川が合流する流域、海域との境界である河口流域などを対象としてよい。したがって、これらによれば、様々な河川環境を理解でき、しかもこれらの河川環境が様々な外的要因によって動的に変動するものとして、理解を深めることができる。
【００４５】
また、この実施形態では、第１の表示装置であるＰＤＰ７Ａ〜７Ｃの脇の床面に、それぞれ第２の表示装置であるＬＣＤ８Ａ〜８Ｃを１つずつ設置した構成としたが、ＰＤＰ７Ａ〜７Ｃの表示画面の視認性や、見学者によるＬＣＤ８Ａ〜８Ｃのタッチパネル操作性を損なわない程度で、それぞれ複数のＬＣＤ８Ａ〜８Ｃを設置した構成としてもよい。他方、ＰＤＰ７Ａ〜７Ｃを展示スペースＡの床面に設置したが、これに限らず、展示スペースＡの壁面に並べて配置し、これらのＰＤＰの近傍に、それぞれのＬＣＤを設置してもよい。すなわち、例えば、ＰＤＰの表示画面を、壁面の成人男性の視線付近の高さに並べて配置し、これらの表示画面の前方で、かつ表示画面による表示を遮らない高さに、それぞれＬＣＤを設置した構成としてもよい。したがって、この構成によれば、映像展示システム１用の展示スペースＡに要する空間の省スペース化が図れ、展示場所の制約が緩和され、映像展示システム１としての利用範囲を拡大できる。すなわち、壁面の面積が複数のＰＤＰの表示画面を並べて設置できる程度に確保できれば、例えば、一般的な部屋に限られることなく、通路などにも、映像展示システム１を設置して展示できる。
【００４６】
さらに、実施形態では、単一の表示装置が、それぞれ単一の映像を表示するように構成したが、これに限られることなく、表示装置と映像との関係が、１つ対複数の関係を有して、または複数対１つ関係を有して構成されてもよい。すなわち、例えば、複数の表示装置の画面を所定に配列して設置し、これらの画面に、それぞれ映像の一部を割当てて表示し、複数の画面からなる全体の画面として１つの映像を表示するように構成してもよい。したがって、この構成によれば、例えばある河川の上流から下流までの流域を途切れることなく、連続的な単一の映像として表現することができる。他方、本流と支流からなる水系を、複数の表示画面を水路状に配置することにより、実際の地勢上のイメージを持たせて表現することもできる。これらの結果、より大規模で複雑な河川環境を映像表現の対象とでき、河川理解の促進を図ることができる。
【００４７】
【発明の効果】
請求項１の発明によれば、映像展示システムが、巨視的、局所的、および微視的な視点、かつ同一の時系列で河川を撮影して取得した河川環境の事象に関する複数の映像を、各映像に対応した複数の表示装置を用いて、互いに関連させて４次元的に表示しているので、多次元的な映像を組合わせて統合的に河川環境の変化事象を表現することができる。すなわち、巨視的、局所的、および微視的な視点同士の関係性を明確化して提示できる。このため、河川環境における捉えにくい事象を、多くの人々に容易に理解させることが可能となる。
【００４８】
請求項２の発明によれば、表示装置が、少なくとも、巨視的な視点で取得された映像を表示する第１の表示装置と、前記映像に含まれた局所的または微視的な視点で取得された映像を表示する第２の表示装置であるので、これらの映像同士の関係性が明示され、見学者が動的に変動する河川環境を多元的に把握して理解できる。
【００４９】
請求項３の発明によれば、第１の表示装置は、表示画面が展示スペースの一面に設置され、この表示画面の近傍に第２の表示装置が設置されているので、見学者に対して、これらの第１，第２の表示装置の相互の位置関係と、表示内容の相互の関係とを直感的かつ体感的に認識させることができる。この結果、展示内容である河川環境の理解を促進させることができる。
【００５０】
請求項４の発明によれば、表示装置が展示スペースの壁面を表示画面とした第３の表示装置を有しているので、見学者に対して展示スペース内のすべての位置で第３の表示装置による表示内容を提供できる。すなわち、見学者が展示スペース内のいずれの位置にいても、表示内容を確認することが可能となる。他方、展示スペース内のすべての見学者に対して表示内容を提供できる。このため、より多彩な表現が可能となるとともに、重要な映像を確実に提供することが可能となる。例えば、映像展示システムの表現対象が実験河川の増水時の映像の場合には、第３の表示装置に、河川の増水を象徴的に示し、かつ増水の原因である水門の開閉状態および出水状態の映像を表示させることができる。この結果、河川環境の理解の促進が図れる。
【００５１】
請求項５の発明によれば、ＰＤＡに、見学者の選択により、前記第１または第２の表示装置に表示されている映像内容に関する詳細情報を表示しているので、見学者が展示された映像を見て受動的に理解するだけではなく、見学者が能動的にＰＤＡを操作して、映像内容に関する詳細情報を選択させることができる。このため、見学者が河川に関する理解を深めることを促進できる。他方、見学者毎に河川に関する興味の対象が異なっていても、それぞれの興味対象の映像内容に関した詳細情報を提供することができる。この結果、幅広い年齢層や職種などの一般の人々に河川に関する理解を深めさせることができる。
【図面の簡単な説明】
【図１】この発明の実施形態を示し、河川環境の映像展示システムの全体構成を示す概略図である。
【図２】この実施形態の映像展示システムを示し、映像が表示されたスクリーン・ディスプレイの表示画面を示す模式図である。
【図３】この実施形態の映像展示システムを示し、各プラズマ・ディスプレイの表示画面の配置と、それぞれの表示画面に河川の所定映像が表示されている状態とを示す模式図である。
【図４】この実施形態の映像展示システムの各液晶ディスプレイを示し、（Ａ）は、河川の蛇行部を、（Ｂ）は、氾濫原を、（Ｃ）は、ワンドを、それぞれ表示した各液晶ディスプレイの表示画面を示す模式図である。
【図５】この実施形態の映像展示システムを示し、詳細情報選択用のトップメニューが表示されたＰＤＡの表示画面を示す模式図である。
【図６】この実施形態の映像展示システムのＰＤＡを示し、（Ａ）は、河川の蛇行部に関するトップメニューが、（Ｂ）は、蛇行部の一部である淵の内側に関する詳細情報が、（Ｃ）は、同蛇行部の淵の外側に関する詳細情報が、（Ｄ）は、同蛇行部の早瀬に関する詳細情報が、（Ｅ）は、同蛇行部の全体に関する詳細情報が、それぞれ表示されたＰＤＡの表示画面を示す模式図である。
【符号の説明】
１  映像展示システム              ２  入力装置
３  メインサーバ                  ４  ネットワーク
４Ａ  ハブ                        ５Ａ〜５Ｇ  サブサーバ
６  スクリーン・ディスプレイ（第３の表示装置）
６Ａ  プロジェクター              ６Ｂ  スクリーン
７Ａ〜７Ｃ  プラズマ・ディスプレイ（ＰＤＰ）（第１の表示装置）
８Ａ〜８Ｃ  液晶ディスプレイ（ＬＣＤ）（第２の表示装置）
９Ａ〜９Ｃ  ＰＤＡ（携帯端末機）  １０Ａ〜１０Ｃ  無線アクセス・ポイント
Ａ  展示スペース                  Ｂ  バックヤード
【図１】
2004302753.tif 000003
【図２】
2004302753.tif 000004
【図３】
2004302753.tif 000005
【図４】
2004302753.tif 000006
【図５】
2004302753.tif 000007
【図６】
2004302753.tif 000008